(57)【要約】      （修正有）【課題】  書き換え型記録媒体において、書き換え回数の向上を実現する。【解決手段】  記録データのシンクパターン位置を記録基準位置から徐々にシフトさせて記録し、そのシフト量が所定量以上に達したら所定シフト量に固定して記録を行う。これにより、光ディスク上の書き換え記録部分において、熱的ストレスを小さくすることができ、安定な書き換えまたは再生が出来る。従って書き換え回数を向上させることができる。【選択図】      図４
2005129101.tif 000002
【特許請求の範囲】
【請求項１】
書き換え型の記録媒体に情報を記録する情報記録再生装置であって、
前記記録媒体上の記録基準位置を検出する記録基準位置検出手段と、
検出された前記記録基準位置に基づいて記録データを記録する記録手段と、を備え、
前記記録手段は、記録開始時には前記記録データの同期パターンを前記記録基準位置と一致させて前記記録データを記録し、記録開始後は前記記録データの同期パターンを前記記録基準位置に対してシフトさせて前記記録データを記録することを特徴とする情報記録再生装置。
【請求項２】
前記記録手段は、記録開始後、前記記録データの同期パターンと前記記録基準位置との間のシフト量を所定シフト量まで増加させ、その後は前記シフト量を前記所定シフト量に維持して記録を行うことを特徴とする請求項１に記載の情報記録再生装置。
【請求項３】
前記記録手段は、
前記記録データの同期パターンと前記記録基準位置との間のシフト量を検出する手段と、
検出されたシフト量が前記所定シフト量以下である場合は前記シフト量を徐々に増加し、検出されたシフト量が前記所定シフト量と一致した場合は前記シフト量を前記所定シフト量に維持する手段と、を備えることを特徴とする請求項２に記載の情報記録再生装置。
【請求項４】
前記記録手段は、記録開始後、前記記録データの同期パターンと前記記録基準位置との間のシフト量を所定シフト量の範囲内で変動させつつ記録を行うことを特徴とする請求項１に記載の情報記録再生装置。
【請求項５】
書き換え型の記録媒体に情報を記録する情報記録再生装置であって、
前記記録媒体上の記録基準位置を検出する記録基準位置検出手段と、
検出された前記記録基準位置に基づいて記録データを記録する記録手段と、を備え、
前記記録手段は、記録開始時には前記記録データの同期パターンを前記記録基準位置に対して初期シフト量だけシフトさせて前記記録データを記録し、記録開始後は前記記録データの同期パターンを前記記録基準位置に対して所定シフト量の範囲内でシフトさせて前記記録データを記録し、前記初期シフト量は前記所定シフト量より小さいことを特徴とする情報記録再生装置。
【請求項６】
前記記録手段は、前記所定シフト量をランダムに決定することを特徴とする請求項１乃至５のいずれか一項に記載の情報記録再生装置。
【請求項７】
書き換え型の記録媒体に情報を記録する情報記録方法であって、
前記記録媒体上の記録基準位置を検出する記録基準位置検出工程と、
検出された前記記録基準位置に基づいて記録データを記録する記録工程と、を備え、
前記記録工程は、記録開始時には前記記録データの同期パターンを前記記録基準位置と一致させて前記記録データを記録し、記録開始後は前記記録データの同期パターンを前記記録基準位置に対してシフトさせて前記記録データを記録することを特徴とする情報記録方法。
【請求項８】
書き換え型の記録媒体に情報を記録する情報記録方法であって、
前記記録媒体上の記録基準位置を検出する記録基準位置検出工程と、
検出された前記記録基準位置に基づいて記録データを記録する記録工程と、を備え、
前記記録工程は、記録開始時には前記記録データの同期パターンを前記記録基準位置に対して初期シフト量だけシフトさせて前記記録データを記録し、記録開始後は前記記録データの同期パターンを前記記録基準位置に対して所定シフト量の範囲内でシフトさせて前記記録データを記録し、前記初期シフト量は前記所定シフト量より小さいことを特徴とする情報記録方法。
【請求項９】
コンピュータを備え、書き換え型の記録媒体に情報を記録する情報記録装置において実行される情報記録プログラムであって、
前記記録媒体上の記録基準位置を検出する記録基準位置検出手段、及び、
検出された前記記録基準位置に基づいて記録データを記録する記録手段として前記コンピュータを機能させ、
前記記録手段は、記録開始時には前記記録データの同期パターンを前記記録基準位置と一致させて前記記録データを記録し、記録開始後は前記記録データの同期パターンを前記記録基準位置に対してシフトさせて前記記録データを記録することを特徴とする情報記録プログラム。
【請求項１０】
コンピュータを備え、書き換え型の記録媒体に情報を記録する情報記録装置において実行される情報記録プログラムであって、
前記記録媒体上の記録基準位置を検出する記録基準位置検出手段、及び、
検出された前記記録基準位置に基づいて、記録データを記録する記録手段として前記コンピュータを機能させ、
前記記録手段は、記録開始時には前記記録データの同期パターンを前記記録基準位置に対して初期シフト量だけシフトさせて前記記録データを記録し、記録開始後は前記記録データの同期パターンを前記記録基準位置に対して所定シフト量の範囲内でシフトさせて前記記録データを記録し、前記初期シフト量は前記所定シフト量より小さいことを特徴とする情報記録プログラム。
【発明の詳細な説明】
【技術分野】
【０００１】
本発明は、繰り返し記録可能な書き換え型記録媒体に対して情報を記録する情報記録装置、情報記録方法、及び情報記録プログラムに関する。
【背景技術】
【０００２】
ＤＶＤ−Ｒ（DVD-Recordable）やＤＶＤ−ＲＷ（DVD-Re-recordable）などに代表される光ディスクなどの情報記録媒体や、これら情報記録媒体に情報を記録し、記録した情報を再生することができる情報記録再生装置が知られている。このうち、上記のＤＶＤ−ＲＷなどの繰り返し記録可能な書き換え型記録媒体に情報を記録する場合、一般的には、記録信号の同期パターン（シンクパターン）をディスク上に形成されたＬＰＰ（Land Pre-pit）などの記録基準位置に一致させるようにデータの記録が行われる。このため、記録信号中の同期パターンがディスク上の同じ場所に何度も繰り返して記録されることになり、光ディスク上の記録基準位置やその周辺が熱的ストレスによって劣化してしまうため、書き換え型記録媒体の書き換え回数には限界がある。
【０００３】
上記の書き換え回数を向上させるために、特許文献１に記載の技術においては、書き換え型記録媒体に情報を記録する際、記録媒体上におけるデータの記録開始位置を記録基準位置に対してランダムにシフトさせて記録する方法を採用している。これにより、記録信号中の同期パターンが記録媒体上の同じ場所に何度も繰り返して記録されることがないため、光ディスクの書き換え回数が向上する。
【０００４】
しかし、上述の技術においては、記録媒体上の記録基準位置に対して記録データの記録開始位置を変化させているため、記録したデータの再生時や上書き記録時において、記録データの記録開始位置の検出や同期の確立が困難となることがある。例えば、記録データの記録開始位置を、記録媒体上の記録基準位置に対して最大で±αのシフト量の範囲でシフトして記録する場合、従前に記録したデータの記録開始位置と、現在記録するデータの記録開始位置は最大で２αだけずれることとなる。このシフト量が大きいほど、記録データの再生時や書き換え記録時における同期確立が難しくなり、記録データの再生又は新たなデータの書き換え記録などの精度が落ちてしまうという不具合があった。
【０００５】
【特許文献１】特公平８−１０４８９号公報
【発明の開示】
【発明が解決しようとする課題】
【０００６】
本発明が解決しようとする課題は上記のようなものが例として挙げられる。本発明は、繰り返し記録可能な書き換え型記録媒体において、データの記録再生における精度を確保しつつ、書き換え記録回数の向上を実現することが可能な情報記録再生装置、情報記録方法、及び情報記録プログラムを提供することにある。
【課題を解決するための手段】
【０００７】
請求項１に記載の発明は、書き換え型の記録媒体に情報を記録する情報記録再生装置であって、前記記録媒体上の記録基準位置を検出する記録基準位置検出手段と、検出された前記記録基準位置に基づいて記録データを記録する記録手段と、を備え、前記記録手段は、記録開始時には前記記録データの同期パターンを前記記録基準位置と一致させて前記記録データを記録し、記録開始後は前記記録データの同期パターンを前記記録基準位置に対してシフトさせて前記記録データを記録することを特徴とする。
【０００８】
請求項５に記載の発明は、書き換え型の記録媒体に情報を記録する情報記録再生装置であって、前記記録媒体上の記録基準位置を検出する記録基準位置検出手段と、検出された前記記録基準位置に基づいて記録データを記録する記録手段と、を備え、前記記録手段は、記録開始時には前記記録データの同期パターンを前記記録基準位置に対して初期シフト量だけシフトさせて前記記録データを記録し、記録開始後は前記記録データの同期パターンを前記記録基準位置に対して所定シフト量の範囲内でシフトさせて前記記録データを記録し、前記初期シフト量は前記所定シフト量より小さいことを特徴とする。
【０００９】
請求項７に記載の発明は、書き換え型の記録媒体に情報を記録する情報記録方法であって、前記記録媒体上の記録基準位置を検出する記録基準位置検出工程と、検出された前記記録基準位置に基づいて記録データを記録する記録工程と、を備え、前記記録工程は、記録開始時には前記記録データの同期パターンを前記記録基準位置と一致させて前記記録データを記録し、記録開始後は前記記録データの同期パターンを前記記録基準位置に対してシフトさせて前記記録データを記録することを特徴とする。
【００１０】
請求項８に記載の発明は、書き換え型の記録媒体に情報を記録する情報記録方法であって、前記記録媒体上の記録基準位置を検出する記録基準位置検出工程と、検出された前記記録基準位置に基づいて記録データを記録する記録工程と、を備え、前記記録工程は、記録開始時には前記記録データの同期パターンを前記記録基準位置に対して初期シフト量だけシフトさせて前記記録データを記録し、記録開始後は前記記録データの同期パターンを前記記録基準位置に対して所定シフト量の範囲内でシフトさせて前記記録データを記録し、前記初期シフト量は前記所定シフト量より小さいことを特徴とする。
【００１１】
請求項９に記載の発明は、コンピュータを備え、書き換え型の記録媒体に情報を記録する情報記録装置において実行される情報記録プログラムであって、前記記録媒体上の記録基準位置を検出する記録基準位置検出手段、及び、検出された前記記録基準位置に基づいて記録データを記録する記録手段として前記コンピュータを機能させ、前記記録手段は、記録開始時には前記記録データの同期パターンを前記記録基準位置と一致させて前記記録データを記録し、記録開始後は前記記録データの同期パターンを前記記録基準位置に対してシフトさせて前記記録データを記録することを特徴とする。
【００１２】
請求項１０に記載の発明は、コンピュータを備え、書き換え型の記録媒体に情報を記録する情報記録装置において実行される情報記録プログラムであって、前記記録媒体上の記録基準位置を検出する記録基準位置検出手段、及び、検出された前記記録基準位置に基づいて、記録データを記録する記録手段として前記コンピュータを機能させ、前記記録手段は、記録開始時には前記記録データの同期パターンを前記記録基準位置に対して初期シフト量だけシフトさせて前記記録データを記録し、記録開始後は前記記録データの同期パターンを前記記録基準位置に対して所定シフト量の範囲内でシフトさせて前記記録データを記録し、前記初期シフト量は前記所定シフト量より小さいことを特徴とする。
【発明を実施するための最良の形態】
【００１３】
本発明の１つの好適な実施形態は、書き換え型の記録媒体に情報を記録する情報記録再生装置であって、前記記録媒体上の記録基準位置を検出する記録基準位置検出手段と、検出された前記記録基準位置に基づいて記録データを記録する記録手段と、を備え、前記記録手段は、記録開始時には前記記録データの同期パターンを前記記録基準位置と一致させて前記記録データを記録し、記録開始後は前記記録データの同期パターンを前記記録基準位置に対してシフトさせて前記記録データを記録する。
【００１４】
上記の情報記録再生装置は、繰り返し記録可能なＤＶＤ−ＲＷやＤＶＤ＋ＲＷなどの光ディスクなどの情報記録媒体に画像データやコンテンツなどの情報を記録することができる。上記の情報記録再生装置は、記録する際に記録データの同期を取るために、情報記録媒体上の記録基準位置を検出する。記録基準位置は、例えば光ディスク上に予め設けられたプリフォーマットなどとすることができる。そして、記録基準位置に基づいて、記録開始時には前記記録データの同期パターンを前記記録基準位置と一致させて前記記録データを記録し、記録開始後は前記記録データの同期パターンを前記記録基準位置に対してシフトさせて前記記録データを記録する。
【００１５】
これにより、情報記録媒体上に異なるデータが書き換え記録された部分において、従前の記録データの記録開始位置と書き換え記録データの記録開始位置とのずれを小さくできる。よって、情報記録再生装置は、書き換え記録された記録データの先頭位置の検出や同期の確立が容易となる。また、記録開始後は同期パターンを記録基準位置に対してシフトして記録を行うので、書き換え記録において同期パターンの記録位置が一致する確率が低くなり、書き換え回数を向上させることができる。
【００１６】
上記の情報記録再生装置の一態様では、前記記録手段は、記録開始後、前記記録データの同期パターンと前記記録基準位置との間のシフト量を所定シフト量まで増加させ、その後は前記シフト量を前記所定シフト量に維持して記録を行う。より具体的には、前記記録手段は、前記記録データの同期パターンと前記記録基準位置との間のシフト量を検出する手段と、検出されたシフト量が前記所定シフト量以下である場合は前記シフト量を徐々に増加し、検出されたシフト量が前記所定シフト量と一致した場合は前記シフト量を前記所定シフト量に維持する手段と、を備える。
【００１７】
上記の情報記録再生装置の他の一態様では、前記記録手段は、記録開始後、前記記録データの同期パターンと前記記録基準位置との間のシフト量を所定シフト量の範囲内で変動させつつ記録を行う。
【００１８】
本発明の他の好適な実施形態は、書き換え型の記録媒体に情報を記録する情報記録再生装置であって、前記記録媒体上の記録基準位置を検出する記録基準位置検出手段と、検出された前記記録基準位置に基づいて記録データを記録する記録手段と、を備え、前記記録手段は、記録開始時には前記記録データの同期パターンを前記記録基準位置に対して初期シフト量だけシフトさせて前記記録データを記録し、記録開始後は前記記録データの同期パターンを前記記録基準位置に対して所定シフト量の範囲内でシフトさせて前記記録データを記録し、前記初期シフト量は前記所定シフト量より小さい。
【００１９】
上記の情報記録再生装置は、繰り返し記録可能なＤＶＤ−ＲＷやＤＶＤ＋ＲＷなどの光ディスクなどの情報記録媒体に画像データやコンテンツなどの情報を記録することができる。上記の情報記録再生装置は、記録する際に記録データの同期を取るために、情報記録媒体上の記録基準位置を検出する。記録基準位置は、例えば光ディスク上に予め設けられたプリフォーマットなどとすることができる。そして、記録基準位置に基づいて、記録開始時には前記記録データの同期パターンを前記記録基準位置に対して初期シフト量だけシフトさせて前記記録データを記録し、記録開始後は前記記録データの同期パターンを前記記録基準位置に対して所定シフト量の範囲内でシフトさせて前記記録データを記録する。
【００２０】
前記初期シフト量を前記所定シフト量より小さくすることにより、情報記録媒体上に異なるデータが書き換え記録された部分において、従前の記録データの記録開始位置と書き換え記録データの記録開始位置とのずれを小さくできる。よって、情報記録再生装置は、書き換え記録された記録データの先頭位置の検出や同期の確立が容易となる。また、記録開始後は同期パターンを記録基準位置に対してシフトして記録を行うので、書き換え記録において同期パターンの記録位置が一致する確率が低くなり、書き換え回数を向上させることができる。
【００２１】
上記の情報記録再生装置の一態様では、前記記録手段は、前記所定シフト量をランダムに決定することができる。これにより、書き換え記録領域において、同期パターンの記録位置が一致する確率が低くなり、書き換え回数を向上させることができる。
【００２２】
本発明の他の実施形態では、上記の情報記録再生装置と同様の記録を行う情報記録方法を提供することができる。また、コンピュータを備え、書き換え型の記録媒体に情報を記録する情報記録装置において実行することにより、上記の情報記録再生装置と同様の記録を行う情報記録プログラムを提供することができる。
【実施例】
【００２３】
以下、本発明の好適な実施例を図面に基づいて説明する。
【００２４】
［記録開始点の制御方法］
以下では、本発明の実施例に係る情報記録媒体へのデータの記録方法について説明する。
【００２５】
まず、図１を参照して一般的に情報記録媒体にデータを記録する方法について述べる。なお、図１における情報記録媒体は、情報を高密度に記録可能なＤＶＤ−ＲＷやＤＶＤ＋ＲＷなどの光ディスク１００とすることができる。
【００２６】
図１に光ディスク１００の記録構造の概略図を示す。光ディスク１００は、物理的なセクタ１６を単位として記録データの管理などが行われている。この１個のセクタ１６は、図１の中段に示すように複数のシンクフレーム１２から構成される。例えば、２６個のシンクフレーム１２から１個のセクタ１６が形成され、さらに、１６個のセクタ１６から１個の図示しないＥＣＣ（Error Correcting Code）ユニットが形成される。
【００２７】
光ディスク１００に記録されるべき記録データは、予め情報単位としてこのシンクフレーム１２の単位で分割されている。なお、１個のシンクフレーム１２は、記録データを記録する際の記録フォーマットにより規定されるビット間隔に対応する単位長さ（以下、「Ｔ」を用いる）の１４８８倍の長さを有する。
【００２８】
さらに、１個のシンクフレーム１２の先端には同期パターンとしてのシンクパターン１４が含まれている。このシンクパターン１４は、シンクフレーム１２毎の同期を取るために用いられる。光ディスク１００に予め形成されたＬＰＰ（Land Pre-pit）の先頭ピットの位置は、光ディスク１００に対する情報記録の際の記録基準位置１０を示している。データの記録は、記録データのシンクパターン１４が光ディスク１００上の記録基準位置１０と一致するように行われる。したがって、ＬＰＰの位置に基づいて記録クロックの位相補正を行うことで、既に記録された領域の最後から継ぎ目（リンク）を最小にするようにして高精度の記録を開始する追記や書き換えが可能となっている。なお、このシンクパターン１４は、例えば１４Ｔの長さを有している。
【００２９】
上記のシンクフレーム１２単位にて、記録すべき記録データを図１の下段に示した所定の周波数を有する記録クロックに同期させることにより、光ディスク１００にデータが記録される。また、記録クロックは光ディスク１００上の記録基準位置１０に同期させられ、この記録クロックを基準にして、記録データのシンクパターン１４が記録基準位置１０と一致するように記録が行われる。
【００３０】
次に、上記のような記録構造を有する光ディスク１００において、情報の記録を開始する際の本発明に係る記録方法について説明する。
【００３１】
先に述べたように、ＤＶＤ−ＲＷなどの繰り返し記録可能な書き換え可能ディスクにデータを記録する際、シンクパターン１４を光ディスク１００上の同じ場所に何度も繰り返して記録すると、この場所やその周辺が熱的ストレスによって劣化してしまう。そこで、一般的には図２（ａ）に示すような方法にて重ね書きが行われている。なお、図２（ａ）〜（ｃ）は、図１の中段に示した光ディスク１００と同様の記録構造を採っており、図の左から右に記録すべきデータが記録されていくものとする。また、光ディスク１００としては、ＤＶＤ−ＲＷやＤＶＤ＋ＲＷなどの書き換え型記録媒体を想定して説明していく。
【００３２】
図２（ａ）に示した記録方法は、光ディスク１００上での記録開始位置を記録基準位置１０に対してランダムにシフトさせて記録する方法を採用している。具体的には、重ね書きデータ２０の記録開始点を記録基準位置１０に対してランダムに決められたシフト量α（即ち、αは固定値）だけシフトさせて記録を行う。１つの記録データが記録し終わるまで、このシフト量αを維持しながら記録を行う。そして、別のデータを記録する場合には、乱数などを用いてシフト量αを新たに決定して記録を開始する。
【００３３】
図２（ａ）においては、重ね書きデータ２０の記録開始点を光ディスク１００の記録方向（内周から外周へ）にシフトさせて記録するものを示したが、記録開始点を逆方向にシフトさせることもできる。また、シフト量αは最初に決められ、１つの記録データが記録されている間は、ずっとこの値に固定して記録が行われる。つまり、１つの記録データを記録している間はずっと、シンクパターン１４の位置は記録基準位置１０に対してシフト量αだけシフトした状態で記録される。シフト量αには、光ディスク１００が有するＬＰＰ信号内に記録開始位置が収まるような値が決定される。したがって、シフト量αは記録基準位置１０を基準にして、例えば最大で±５Ｔ程度までの値に設定することができる。
【００３４】
以上のような記録方法を行うと、シンクパターン１４を同じ場所に何度も繰り返して記録する確率が少なくなるので、光ディスクの書き換え回数の向上が図れる。
【００３５】
しかし、上述の方法では図３（ａ）に示すような不具合がある。図３（ａ）は、横軸に時間を示し、縦軸には記録データの記録開始位置と記録基準位置１０とのシフト量Ｘを示している。直線Ａは、従前に記録したデータの記録開始位置と記録基準位置１０とのシフト量を表している。さらに直線Ａは、記録開始位置が記録基準位置１０に対してシフト量Ｌだけシフトしており、シフト量が時間的に変化していないことを示している。なお、上記のシフト量「Ｌ」は、記録開始位置を記録基準位置１０に対してシフトさせることができる最大の値、即ち最大シフト量を表している。また、斜線の領域３１は、従前に記録された記録データの記録開始位置の記録基準位置１０に対するシフト量が取り得る範囲を示している。
【００３６】
一方、直線Ｂは、現在記録している記録データの記録開始位置の記録基準位置１０に対するシフト量を示している。この例では直線Ｂは、記録開始位置が記録基準位置１０に対して記録方向とは逆方向に最大シフト量Ｌだけシフトしているものを示している（逆方向にずれているので、「−Ｌ」と表記している）。また、領域３２は、現在記録する記録データの記録開始位置の記録基準位置１０に対するシフト量が取り得る範囲を示している。さらに、リンキング部分１５は上記の領域３１と領域３２が重なっている部分である。すなわち、リンキング部分１５は、従前に記録したデータと現在記録するデータの記録開始位置のつなぎ目を意味する。
【００３７】
以上より、このような記録開始位置の設定方法においては、従前に記録したデータと現在記録するデータとの記録開始位置は、最大で、最大シフト量Ｌの２倍、即ち２Ｌ分ずれてしまうことがわかる。このように、従前に記録したデータと現在記録するデータの記録開始位置のずれが大きいほど、同期確率が困難になるなど、記録データの読み込み等の処理精度に影響を及ぼす可能性が高くなる。
【００３８】
（第１実施例）
本発明では、上記の問題を解決する記録方法を採用している。以下で、本発明の第１実施例に係る記録方法について説明する。
【００３９】
第１実施例では、光ディスク１００上での記録開始位置を、記録開始時には記録基準位置１０に一致させ、その後は記録データのシンクパターン１４の位置を記録基準位置１０から徐々にシフトさせていき、シフト量Ｘ（Ｘは変数）が所定のシフト量αに達したらそのシフト量αに固定して記録するという方法を採っている。
【００４０】
図２（ｂ）を用いて、上記の記録方法を具体的に説明する。斜線で示す重ね書きデータ２０は、記録開始時には、記録データ中のシンクパターン１４の位置が光ディスク１００上の記録基準位置１０と一致するように、即ちシフト量Ｘ＝０で記録を開始する。その後は、記録データ中のシンクパターン１４の位置と光ディスク１００上の記録基準位置１０のシフト量Ｘが所定のシフト量αに達するまで徐々にシフト量Ｘを増加させて記録を行い、シンクパターン１４の位置と記録基準位置１０のシフト量Ｘが所定のシフト量αに達したら、シフト量Ｘを所定のシフト量αに固定して記録を行っていく。所定のシフト量αとしては、先に述べたシフト量Ｘの最大値Ｌと最小値−Ｌの間でランダムな値が決定される。この決定された所定のシフト量αは，１つの記録すべきデータが記録し終わるまで用いられる。そして、次の記録データを記録する場合には、この所定のシフト量αを新たに決定してから記録を開始する。なお、図２（ｂ）においては、光ディスク１００の記録方向（即ち記録基準位置１０に対して後方）にシンクパターン１４の位置をシフトさせて記録する例を示している。
【００４１】
一方、図２（ｃ）においては、光ディスク１００の記録方向と逆方向（即ち記録基準位置１０に対して前方）に記録データのシンクパターン１４の位置をシフトして記録する例を示している。この場合も、記録開始時には、重ね書きデータ２０のシンクパターン１４が光ディスク１００上の記録基準位置１０と一致するように記録を開始し、その後は、シンクパターン１４の位置の記録基準位置１０に対するシフト量Ｘが所定のシフト量α（この場合は負）に達するまで徐々にシフト量Ｘを増加させて記録を行う。そして、シフト量Ｘが所定のシフト量αに達したら、シフト量Ｘをαに固定して記録を行う。
【００４２】
このように記録開始時にはシフト量Ｘ＝０とし、シンクパターン１４を光ディスク１００上の記録基準位置１０と一致させて記録を行うことにより、異なる記録データが光ディスク１００上で重なり合う領域において、従前の記録データと現在の記録データの記録開始位置のずれの最大値を、２Ｌよりも小さくすることができる。その詳細について、図３（ｂ）を用いて説明する。
【００４３】
図３（ｂ）は、横軸には時間を示し、縦軸には記録データの記録開始位置と記録基準位置１０とのシフト量Ｘを示している。図３（ａ）では、従前に記録したデータの記録開始位置の記録基準位置１０に対するシフト量Ｘが直線Ａで表されており、この例では記録方向に最大値であるＬだけずれている。斜線の領域３１は、従前に記録されたデータの記録開始位置の記録基準位置１０に対するシフト量Ｘが取り得る範囲を示している。一方、線分Ｃは、現在記録しているデータの記録開始位置の記録基準位置１０に対するシフト量を表している。線分Ｃは、現在記録するデータを、シンクパターン１４が記録基準位置１０と一致する位置から記録し始め、その後は線形に記録データのシンクパターン１４の位置を記録基準位置１０に対してシフトさせている（この例では、記録方向と逆方向にシフトしている）。そして、シフト量ＸがＬに達したら、シフト量をＬに固定して記録を継続している。領域３３は、現在記録するデータのシンクパターン１４の記録基準位置１０に対するシフト量Ｘが取り得る範囲を示している。さらに、リンキング部分１５は、領域３１と領域３３が重なっている部分であり、従前に記録された記録データと現在記録される記録データのつなぎ目を意味する。
【００４４】
図３（ｂ）に示すように、第１実施例に係る記録方法においては、従前に記録したデータのシンクパターン１４の位置と現在記録しているデータの記録開始位置とのずれは、最大でもＬである。前述した従来の方法では従前に記録したデータのシンクパターン１４の位置と現在記録するデータの記録開始位置が最大でＬの２倍ずれていたが、本発明に係る記録方法ではこのずれを半分に減らすことができる。これは、光ディスク１００上の記録基準位置１０から記録を開始し、徐々に記録開始位置をシフトさせて記録を行っているからである。本実施例に係る記録方法によって、書き換え型記録媒体において、記録データを読み取る際の精度を確保しつつ、書き換え回数を向上させることができる。
【００４５】
次に、第１実施例の記録方法において、記録信号のシンクパターン１４の位置の、光ディスク１００の記録基準位置１０に対するシフト量Ｘを徐々に所定のシフト量αに到達させる具体的な方法について、図４及び図５を用いて説明する。
【００４６】
図４において、上段の図は光ディスク１００に記録した記録データを、下段の図は記録する際に用いる記録クロックを示す。上段の図において、重ね書きデータ２０を斜線で示す。重ね書きデータ２０は上述のものと同様であり、光ディスク１００上での記録基準位置１０から記録を開始するものとする。また図４の下段に示すように、従前に記録した際に用いた記録クロックの周期（時間幅）を「Ｔ」とする。
【００４７】
本実施例では、新たなデータを光ディスク１００に記録する際、記録開始時には記録データのシンクパターン１４を光ディスク１００上の記録基準位置１０と一致させて記録を開始し、その後は徐々に記録信号のシンクパターン１４の位置を記録基準位置１０に対して所定のシフト量αまでシフトさせて記録を行っていく。このとき、１つのシンクフレーム１２内での記録クロック数は同じであるので、記録クロックの周期を徐々に変えていくことになる。具体的には、図示のように、記録クロックの周期は記録されていく方向に（Ｔ＋ａ）、（Ｔ＋ｂ）、（Ｔ＋ｃ）へと徐々に増加していく（ａ＜ｂ＜ｃ）。本例では、記録クロックの周期が（Ｔ＋ｃ）になったとき、記録信号のシンクパターン１４の位置の記録基準位置１０に対するシフト量Ｘが所定のシフト量αに達する。そして、シンクパターン１４の位置の記録基準位置１０に対するシフト量Ｘが所定のシフト量αに達した後は、記録クロックの周期を元のＴに戻して記録を行っていく。
【００４８】
次に、上記のように記録クロックの周期を変えていったときの記録信号のシンクパターン１４の位置の記録基準位置１０に対するシフト量Ｘの時間変化に関して、図５を用いて説明する。図５は、横軸に時間を取り、縦軸に記録すべきデータのシンクパターン１４のシフト量Ｘを示す。先に述べた記録方法と同様に、記録開始時には、記録データのシンクパターン１４が光ディスク１００上の記憶基準位置１０と一致するように、即ちシフト量Ｘ＝０で記録を開始する。その直後は、シフト量Ｘを、ステップΔαにて時間とともに増加させる。そして、所定時間が経過してシフト量Ｘが所定のシフト量αに達すると、その後はシフト量Ｘを所定のシフト量αに固定して記録を行う。なお、このように記録すべきデータのシンクパターン１４の位置を徐々にずらしていく処理は、後述するＶＣＯコントローラ２０９が記録クロック生成部２０８に供給する制御電圧を変化させることによって行うことができる。
【００４９】
（第２実施例）
前述した第１実施例では、データの記録において、記録開始時にはシンクパターン１４を光ディスク１００上の記録基準位置１０と一致させて記録を行う方法を示した。これにより、異なるデータを記録したときの光ディスク１００上のリンキング部分１５において、従前に記録したデータと現在記録するデータの記録開始位置のずれを最大シフト量Ｌの２倍よりも小さくすることができると述べた。しかし、記録基準位置１０から記録を開始しなくても、記録開始時において、記録データのシンクパターン１４の記録位置の記録基準位置１０に対するシフト量がＬよりも小さい値であれば、従前に記録したデータと現在記録するデータの記録開始位置のずれを最大シフト量Ｌの２倍より小さくすることはできる。第２実施例に係る記録方法は、以上のような観点に基づいてなされている。
【００５０】
第２実施例に係る具体的な記録方法を、図６を用いて説明する。図６は、横軸には時間を示し、縦軸には記録データのシンクパターン１４の位置の記録基準位置１０に対するシフト量を示している。直線Ａは、従前に記録したデータのシンクパターン１４の位置の記録基準位置１０に対するシフト量の時間変化を表しており、記録データのシンクパターン１４の位置が記録基準位置１０に対して定常的にＬだけずれているものを示している。また、斜線の領域３０は、従前に記録されたデータのシンクパターン１４の位置が記録基準位置１０に対して取り得る範囲を示している。一方、線分Ｄは、記録開始時において、シンクパターン１４の位置が記録基準位置１０に対して記録方向とは逆方向にβだけずれて記録される例を示している。線分Ｄは、現在記録するデータを光ディスク１００上の記録基準位置１０からβだけずれた位置から記録し始め、線形に記録信号のシンクパターン１４の位置を記録基準位置１０に対してずらしていき、シフト量Ｘが最大シフト量Ｌに達したらシフト量Ｘを最大シフト量Ｌに固定して記録を継続していく例を示している。また、領域３５は、現在記録するデータの記録開始位置が記録基準位置１０に対して取りうる範囲を示している。さらに、リンキング部分１５は上記の領域３０と領域３５が重なっている部分である。
【００５１】
以上より、従前に記録したデータの記録開始位置と現在記録するデータの記録開始位置とのずれは最大でも（Ｌ＋β）になる。βは最大シフト量Ｌより小さい値から選ばれるので、上記の（Ｌ＋β）のシフト量はＬの２倍の量よりも小さい。したがって、第２実施例に係る記録方法によっても、重ね書き部分における記録データを読み取る際の精度を低下させることなく、書き換え型記録媒体に対しての書き換え回数を向上させることが可能である。
【００５２】
（第３実施例）
次に、本発明の第３実施例に係るデータの記録方法について説明する。第３実施例でも、第１実施例に係る記録方法と同様に、記録開始時にはシンクパターン１４の位置が記録基準位置１０と一致するように記録を行い、その後徐々に記録基準位置１０に対してシンクパターン１４の位置をずらしていく。但し、第３実施例では、シンクパターン１４の位置と記録基準位置１０とのシフト量Ｘを常に変動させ、所定の時間が経過しても（即ち、シフト量Ｘが所定量αに達しても）その後シフト量Ｘを所定のシフト量αに固定しない。
【００５３】
図７に第３実施例に係る記録方法の具体例を示す。図７は、縦軸にシンクパターン１４位置の記録基準位置１０に対するシフト量Ｘを示し、横軸に時間を示す。直線Ａは、従前に記録したデータのシンクパターン１４の位置であり、この場合は記録基準位置１０に対して最大シフト量Ｌだけずれている。一方、曲線Ｅは、現在記録している記録データのシンクパターン１４の記録基準位置１０に対するシフト量Ｘの時間変化を表している。曲線Ｅでは、シンクパターン１４を光ディスク１００上の記録基準位置１０と一致させて記録を開始するが、その後は、記録データのシンクパターン１４毎に、その記録基準位置１０に対するシフト量Ｘを非線形に変化させて記録を行う。なお、このシフト量Ｘの変化は±Ｌの範囲内で行う。また、このシフト量Ｘは、例えば記録すべきデータのシンクパターン１４毎に乱数を発生させて決定する。
【００５４】
以上のように第３実施例に係る記録方法では、シンクパターン１４毎に乱数を発生させ、シンクパターン１４の位置を記録基準位置１０に対してランダムにシフトさせて記録するので、新たに記録するデータの記録開始位置が従前に記録したデータのシンクパターン１４の位置と一致する確率が小さくなる。これにより、書き換え可能回数を増加させることができる。また、本実施例の記録方法においても、異なるデータを書き換え記録したときに、それらの記録位置のずれを最大でも最大シフト量Ｌの２倍よりも小さくすることができる。
【００５５】
なお、第３実施例でも、記録開始時に、シンクパターン１４の位置を光ディスク１００上の記録基準位置１０と一致させて記録を開始するのではなく、記録基準位置１０に対してＬより小さいシフト量だけシフトした位置から記録を開始しても同様な効果が得られる。異なるデータを書き換え記録したときに、それらの記録位置のずれを最大でも最大シフト量Ｌの２倍よりも小さくすることができる。
【００５６】
［情報記録再生装置］
以下では、本発明に係る情報記録再生装置について説明する。図８は、情報記録再生装置２００の概略構成を示すブロック図である。
【００５７】
情報記録再生装置２００は、ＤＶＤ−ＲＷなどの光ディスク１００に画像データやコンテンツなどの情報を記録することができ、さらにＤＶＤ−ＲＯＭなどの光ディスク１００に記録された情報を再生することもできる。なお、光ディスク１００としては、繰り返し記録可能なＤＶＤ−ＲＷやＤＶＤ＋ＲＷなどの書き換え型記録媒体が挙げられる。
【００５８】
光ピックアップ２０２は、記録時及び再生時のいずれにおいても、光ビームの反射光に対応するＲＦ（Radio Frequency）信号３０１を出力する。光ディスク１００がウォブルランドグルーブ方式を採用している場合には、光ディスク１００の記録面上にはウォブルの付いたランドおよびグルーブ並びにプリピットなどが予め形成されているので、ＲＦ信号３０１の中にはウォブル、ランド、グルーブ、プリピット等の制御情報が含まれている。さらに、光ディスク１００に記録情報がすでに記録されている場合には、この記録情報もＲＦ信号３０１の中に取り込まれる。
【００５９】
プリアンプ２０６は、上記の光ピックアップ２０２から出力されたＲＦ信号３０１を増幅して、増幅後のＲＦ信号３０２を復調部２０７に出力する。復調部２０７は、このＲＦ信号３０２から、ウォブル周波数信号、トラッキングエラー信号およびフォーカスエラー信号などを作り出力する。また、復調部２０７は、プリアンプ２０６から出力されるＲＦ信号３０１から、プリピットなどのプリピットフォーマット位置に基づいてディスク基準位置信号３０３を生成し、記録クロック生成部２０８に供給する。
【００６０】
ＣＰＵ２１０は図示しないメモリなどを有し、そのメモリ内には、ＶＣＯコントローラ２０９に供給すべき電圧パターンが記憶されている。この電圧パターンは、例えば図５に示すように一定の電圧値からステップ状に増減するパターンとすることができる。ＶＣＯコントローラ２０９はＣＰＵ２１０から供給される電圧パターンを制御電圧信号３０４として記録クロック生成部２０８へ供給する。
【００６１】
記録クロック生成部２０８はＶＣＯ（Voltage Controlled Oscillator）を備え、ＶＣＯコントローラ２０９から供給される制御電圧信号３０４に対応する周波数を有し、かつ、復調部２０７から供給されるディスク基準位置信号３０３に同期した記録クロック信号３０５を生成し、記録ゲート信号生成部２１２へ供給する。記録ゲート信号生成部２１２は記録クロック信号３０５に同期した記録ゲート信号３０６を生成し、変調部２０４へ供給する。
【００６２】
一方、図示しないインターフェースなどを介して取り込まれた入力データは、一旦、バッファ２０３に記憶される。入力データは光ディスク１００に記録すべきデータであり、バッファ２０３に入力された入力データ３０７は変調部２０４に供給される。
【００６３】
変調部２０４は、入力データ３０７に対して符号変換を行う。例えば、光ディスク１００がＤＶＤ−ＲＷの場合、変調部２０４は入力データに対して８−１６変調などの符号変換を行う。そして、変調部２０４は、変調後の信号を、記録ゲート信号生成部２１２から入力された記録ゲート信号３０６によりゲートして変調信号３０８としてレーザ駆動部２０５へ供給する。これにより、変調部２０４から出力される変調信号３０８は記録クロック３０５に同期したものとなる。
【００６４】
具体的には、図４に示すように、シンクパターン１４の位置と記録基準位置との間のシフト量Ｘが所定のシフト量αに達するまでは記録クロックの周波数を徐々に低下させて周期を増加させ、シフト量Ｘが所定のシフト量αに達した後は、記録クロックの周波数を固定して、周期を一定値Ｔに維持する。
【００６５】
なお、ＶＣＯコントローラ２０９、記録クロック生成部２０８及び記録ゲート信号生成部２１２は、ＰＬＬ（Phase Locked Loop）回路を構成している。つまり、このＰＬＬ回路により、データの記録に用いられる記録クロックは、光ディスク１００に記録されたプリピットなどに対応するディスク基準位置信号に対して位相同期がとられる。
【００６６】
そして、レーザ駆動部２０５は、変調部２０４から供給された変調信号３０８に基づいてレーザパワーを調整する駆動信号３０９を生成し、光ピックアップ２０２に供給する。光ピックアップ２０２は図示しないレーザダイオードなどを備え、レーザ駆動部２０５から供給された駆動信号３０９に基づいてレーザダイオードの発光を制御し、光ディスク１００上にデータを記録する。
【００６７】
このように、ＣＰＵ２１０は、上述の各要素を制御して、本発明に係る記録データのシンクパターン１４の位置を記録基準位置１０に対してシフトしつつ記録データの記録を行う。なお、ＣＰＵ２１０は、上述以外の、情報記録再生装置２００の全体的な制御および上述した要素間の情報のやり取りを制御・管理することができる。
【００６８】
［データ記録処理］
次に、上述した情報記録再生装置２００にて行われるデータ記録処理について説明する。図９に、データ記録処理のフローチャートを示す。なお、図９の例は、第１実施例に係るデータ方法を適用した例である。即ち、データの記録開始時には、記録データのシンクパターン１４を光ディスク１００上の記録基準位置１０と一致させて記録を開始し、その後は記録データのシンクパターン１４の位置を記録基準位置１０に対して徐々にシフト量Ｘだけシフトさせていく。そして、そのシフト量Ｘが所定のシフト量αに至ったら、その後は所定のシフト量αを維持して記録を行う。なお、以下の処理は、主にＣＰＵ２１０が図８に示した各処理部を制御して行う。
【００６９】
まず、ステップＳ１１では、ＣＰＵ２１０は、以降の処理にて使用する所定のシフト量αを決定するために、乱数ｋを発生させる。乱数を発生させて、所定単位のデータを記録する毎に異なるシフト量αを決定することにより、記録データの書き換え時に従前の記録データのシンクパターン１４の位置と書き換え記録データのシンクパターン１４の位置とが重なる確率を減少させることができる。なお、乱数ｋは−１＜ｋ＜１の範囲で発生させる。乱数が決定されると、処理はステップＳ１２に進む。
【００７０】
ステップＳ１２では、ＣＰＵ２１０は、ステップＳ１１にて決定されたｋに基づき、所定のシフト量αを決定する。所定のシフト量αは、前述した最大シフト量Ｌに乱数ｋを掛けた値として算出される。ここで、最大シフト量Ｌの値はＣＰＵ２１０内のメモリなどに予め記憶しておくことができる。所定のシフト量αが算出されると、処理はステップＳ１３に進む。
【００７１】
ステップＳ１３では、光ディスク１００上の記録基準位置１０が検出される。ここで、記録基準位置１０は、例えば光ディスク１００上に形成されたＬＰＰの位置である。したがって、ステップＳ１３では、復調部２０７が光ディスク１００の読み取り信号から記録基準信号３０３を生成する。そして、処理はステップＳ１４に進む。
【００７２】
ステップＳ１４では、ステップＳ１３にて検出された記録基準位置１０からデータの記録を開始する。つまり、記録データのシンクパターン１４の位置を記録基準位置１０と一致させて（即ち、シフト量Ｘ＝０で）記録を開始する。そして、処理はステップＳ１５に進む。
【００７３】
ステップＳ１５では、記録信号のシンクパターン１４の位置を光ディスク１００上の記録基準位置１０に対して徐々にシフトさせる処理を行う。ステップＳ１５では、ＣＰＵ２１０がＶＣＯコントローラ２０９を制御して記録クロックの時間幅を変えることにより、例えば図５に示すように、記録信号のシンクパターン１４の位置をΔαずつシフトする。以上の処理が終わると、処理はステップＳ１６に進む。
【００７４】
ステップＳ１６では、ＣＰＵ２１０が、記録データのシンクパターン１４の位置と光ディスク１００上の記録基準位置１０とのずれを算出し、このずれが所定のシフト量α以上（αに一致する場合を含む。）であるかどうか判定する。算出されたずれが所定のシフト量α以上であればステップＳ１７に進み、算出された差が所定量αよりも小さければステップＳ１５に戻る。
【００７５】
上記のずれが所定のシフト量αよりも小さい場合（ステップＳ１６；Ｎｏ）、ステップＳ１５にて、記録信号のシンクパターン１４の位置を光ディスク１００上の記録基準位置１０に対してさらにシフトする処理を行う。例えば、図５に示すように、さらにΔαだけ記録信号のシンクパターン１４の位置をシフトすることができる。このように、ステップＳ１５及びステップＳ１６での処理を繰り返すことによって、記録信号のシンクパターン１４の位置と記録基準位置１０との間のシフト量Ｘを所定のシフト量αまで徐々に増加させる。
【００７６】
一方、記録信号のシンクパターン１４の位置が記録基準位置１０に対して所定のシフト量α以上シフトしている場合（ステップＳ１６；Ｙｅｓ）、ステップＳ１７にてシフト量Ｘを所定のシフト量αに固定する。つまり、シンクパターン１４の位置をこれ以上シフトさせないようにする。よって、以後の記録はシフト量αに固定された状態で行われる。そして、処理はステップＳ１８に進む。
【００７７】
ステップＳ１８では、ＣＰＵ２１０が、記録すべきデータが終了位置にあるかどうかを判定する。記録データが終了位置にあれば当該フローチャートを抜け、処理を終了する。一方、記録データがまだ終了位置でなければステップＳ１７に戻り、記録データのシンクパターン１４の記録基準位置に対するシフト量αに保ち、記録を継続する。
【００７８】
以上の処理により、記録データの書き換え開始部分において、従前の記録データのシンクパターン１４の記録位置と、書き換え記録データのシンクパターンの記録位置とのずれを０にすることができる。これにより、光ディスク１００の再生及び記録に係る処理の精度の低下を防止することができる。さらに、記録データのシンクパターン１４の記録位置が記録するデータごとに異なるので、光ディスクに対する書き換え回数も向上させることができる。
【図面の簡単な説明】
【００７９】
【図１】光ディスクの記録構造及び記録データの構造を示す図である。
【図２】書き換え型記録媒体にデータを記録する方法を説明するための図であり、図２（ａ）は通常の記録方法を示す図であり、図２（ｂ）及び図２（ｃ）は本発明の第１実施例に係る記録方法を示す図である。
【図３】異なる記録データの書き換え記録部分におけるシンクパターン位置のずれを説明するための図である。
【図４】本発明の第１実施例に係る記録クロックの周期の変化について説明するための図である。
【図５】本発明の第１実施例に係る記録位置のシフト量の時間変化を示す図である。
【図６】第２実施例に係る書き換え記録部分におけるシンクパターン位置のずれを説明するための図である。
【図７】本発明の第３実施例に係るデータの記録方法について説明するための図である。
【図８】本発明の実施例である情報記録再生装置のブロック図である。
【図９】本発明に係るデータ記録処理のフローチャートである。
【符号の説明】
【００８０】
１０  記録基準位置
１２  シンクフレーム
１４  シンクパターン
１５  リンキング部分
１００  光ディスク
２００  情報記録再生装置
２０１  スピンドルモータ
２０２  光ピックアップ
２０３  バッファ
２０４  変調部
２０５  レーザ駆動部
２０６  プリアンプ
２０７  復調部
２０８  記録クロック生成部
２０９  ＶＣＯコントローラ
２１０  ＣＰＵ
２１２  記録ゲート信号生成部
【図１】
2005129101.tif 000003
【図２】
2005129101.tif 000004
【図３】
2005129101.tif 000005
【図４】
2005129101.tif 000006
【図５】
2005129101.tif 000007
【図６】
2005129101.tif 000008
【図７】
2005129101.tif 000009
【図８】
2005129101.tif 000010
【図９】
2005129101.tif 000011